(57)【要約】【課題】その課題は、自動モードで現像処理・スキャン処理を連続して行っている途中に、例えば、エラー発生や、割り込み処理（リプリントオーダの処理）をした場合に、スキャナーに自動挿入されず、ストッカーに排出されたフィルムをスキャン処理する際に、オーダ情報入力の煩雑さをなくして効率よくスキャン処理するプリント処理システムを提供することにある。【解決手段】本発明に係るプリント処理システム１は、フィルムプロセッサＦＰと、フィルムスキャナーＦＳと、プリント作成装置ＰＡを備え、オーダ情報の入力を受け付ける入力手段１００と、少なくともオーダ情報のオーダ状態を当該オーダ情報と対応づけて格納手段に格納するオーダ情報管理手段３００と、手動挿入してスキャン処理の開始を指示する手動スキャン実行指示手段３０２とフィルムスキャナーの処理状態を判断する処理状態判断手段３０３と、フィルムの手動挿入を許可する制御部とを備える。【選択図】図１
2007184727.tif 000002
【特許請求の範囲】
【請求項１】
未現像写真フィルムの現像処理を行うフィルムプロセッサと、当該現像処理後の現像済写真フィルムのコマの情報を画像データとして取得するフィルムスキャナーと、当該画像データに基づいて写真プリントを作成するプリント作成装置を備えるプリント処理システムであって、
前記画像データの注文に関する情報であるオーダ情報の入力を受け付ける入力手段と、
少なくとも前記入力されたオーダ情報のオーダ状態を当該オーダ情報と対応づけて格納手段に格納するオーダ情報管理手段と、
前記オーダ状態に基づいて、現像済写真フィルムを前記フィルムスキャナーに手動挿入してスキャン処理の開始を指示する手動スキャン実行指示手段と、
前記手動スキャン実行指示手段で指示されたことに応じて、フィルムスキャナーの処理状態を判断する処理状態判断手段と、
前記処理状態判断手段の判断結果に基づいてフィルムの手動挿入を許可する制御部と、
を備え、
前記オーダ情報管理手段は、現像処理とスキャン処理を連動させて現像済写真フィルムをフィルムスキャナーに自動挿入してスキャン処理を行う予約モードの場合に、フィルムスキャナーに自動挿入されずスキャン処理されなかった現像済写真フィルムに対応するオーダ情報を選択待ちの状態として格納し、
前記手動スキャン実行指示手段は、前記選択待ち状態のオーダを選択した後、手動スキャン実行を指示することを特徴とするプリント処理システム。
【請求項２】
前記制御部は、
前記処理状態判断手段の判断結果が、スキャン処理中又は自動挿入によるスキャン処理の準備中である場合に、当該スキャン処理中又は自動挿入によるスキャン処理の準備中のオーダのスキャン処理完了後にフィルムの手動挿入を許可する請求項１に記載のプリント処理システム。
【請求項３】
前記制御部は、
前記選択待ち状態のオーダのスキャン処理の場合に、フィルムプロセッサからフィルムスキャナーに現像済写真フィルムを自動挿入するためのガイド手段の位置を、当該フィルムが自動挿入されないように位置制御することを特徴とする請求項１又は請求項２に記載のプリント処理システム。
【発明の詳細な説明】
【技術分野】
【０００１】
本発明は、未現像写真フィルムの現像処理を行うフィルムプロセッサと、現像済写真フィルムのコマの情報を画像データとして取得するフィルムスキャナーと、当該画像データに基づいて写真プリントを作成するプリント作成装置を備えるプリント処理システムに関する。より詳細には、現像処理とスキャン処理を自動で連続処理するプリント処理システムに関する。
【背景技術】
【０００２】
未現像写真フィルムの現像処理を行うフィルムプロセッサと、現像済写真フィルムのコマの情報を画像データとして取得するフィルムスキャナーとを一体の装置として構成したものが公知である（特許文献１参照）。そして、このフィルムスキャナーで取得された画像データを通信手段で受信し、当該受信した画像データに基づいて写真プリントを作成するプリント作成装置をさらに具備したプリント処理システムがある。
【０００３】
上記のシステムにおいて、現像同時プリント処理（連続して現像処理・スキャン処理を自動で行う処理）をする場合、最初にオーダ情報を入力し、ついで未現像写真フィルムをフィルムプロセッサにセットし、現像処理を開始する。そして現像済写真プリントがガイド手段に案内されてフィルムスキャナーに自動挿入され、スキャン処理が行われる。
【０００４】
【特許文献１】特開平１１−２３４４７６号公報
【発明の開示】
【発明が解決しようとする課題】
【０００５】
しかし、上記システムにおける現像同時プリント処理中に、例えばスキャナーでのエラー発生等の理由で、現像されたフィルムがスキャナーに自動挿入されずにストッカーに排出される場合がある。このように現像処理されたフィルムがスキャナーに自動挿入されずにストッカーに排出されると、このフィルムに対応するオーダ情報がメモリから削除されてしまうように構成されていたため、手動操作でフィルムをスキャナーに挿入してスキャン処理する場合には、手動でスキャン処理を行う前にオーダ情報を再入力する必要があり、オペレータにとって大変煩雑な作業となっており改善が望まれていた。
【０００６】
本発明は上記実情に鑑みてなされたものであり、その課題は、自動モードで現像処理・スキャン処理を連続して行っている途中に、例えば、エラー発生や、割り込み処理（リプリントオーダの処理）をした場合に、スキャナーに自動挿入されず、ストッカーに排出されたフィルムをスキャン処理する際に、オーダ情報入力の煩雑さをなくして効率よくスキャン処理するプリント処理システムを提供することにある。
【課題を解決するための手段】
【０００７】
上記課題を解決するため本発明に係るプリント処理システムは、
未現像写真フィルムの現像処理を行うフィルムプロセッサと、当該現像処理後の現像済写真フィルムのコマの情報を画像データとして取得するフィルムスキャナーと、当該画像データに基づいて写真プリントを作成するプリント作成装置を備えるプリント処理システムであって、
前記画像データの注文に関する情報であるオーダ情報の入力を受け付ける入力手段と、
少なくとも前記入力されたオーダ情報のオーダ状態を当該オーダ情報と対応づけて格納手段に格納するオーダ情報管理手段と、
オーダ状態に基づいて、現像済写真フィルムを前記フィルムスキャナーに手動挿入してスキャン処理の開始を指示する手動スキャン実行指示手段と、
手動スキャン実行指示手段で指示されたことに応じて、フィルムスキャナーの処理状態を判断する処理状態判断手段と、
処理状態判断手段の判断結果に基づいてフィルムの手動挿入を許可する制御部と、
を備え、
オーダ情報管理手段は、現像処理とスキャン処理を連動させて現像済写真フィルムをフィルムスキャナーに自動挿入してスキャン処理を行う予約モードの場合に、フィルムスキャナーに自動挿入されずスキャン処理されなかった現像済写真フィルムに対応するオーダ情報を選択待ちの状態として格納し、
手動スキャン実行指示手段は、前記選択待ち状態のオーダを選択した後、手動スキャン実行を指示することを特徴とする。
【０００８】
また、本発明の好適な実施形態として、制御部は、
処理状態判断手段の判断結果が、スキャン処理中又は自動挿入によるスキャン処理の準備中である場合に、当該スキャン処理中又は自動挿入によるスキャン処理の準備中のオーダのスキャン処理完了後にフィルムの手動挿入を許可することが好ましい。
【０００９】
また、別の本発明の好適な実施形態として、制御部は、
選択待ち状態のオーダのスキャン処理の場合に、フィルムプロセッサからフィルムスキャナーに現像済写真フィルムを自動挿入するためのガイド手段の位置を、当該フィルムが自動挿入されないように位置制御することが好ましい。
【００１０】
かかるプリント処理システムの作用・効果は次の通りである。すなわち、本システムは、未現像写真フィルムの現像処理を行うフィルムプロセッサと、現像済写真フィルムのコマの情報を画像データとして取得するフィルムスキャナーと、当該画像データに基づいて写真プリントを作成するプリント作成装置を備える。そして、連続してフィルムの現像処理、スキャン処理を行う場合に、フィルム毎にオーダ情報が入力され、次いで、当該オーダ情報に対応する未現像写真フィルムがセットされ、ローディングが開始される。
【００１１】
オーダ情報管理手段は、入力されたオーダ情報を少なくともこのオーダ情報のオーダ状態と対応づけて格納手段に格納する。オーダ状態は、例えば、システムの処理状態（例えば、処理待ち、スキャン処理中、スキャン処理の準備中（スキャン処理直前）、現像処理中、搬送中等）の情報を有する。また、オーダ情報管理手段は、さらに、モード（予約モード又は通常モード）、スキャナーにフィルムを挿入する形態の種類（自動挿入、手動挿入）等もオーダ情報に対応付けて管理することができる。
【００１２】
オーダ情報管理手段は、現像処理とスキャン処理を連動させて現像済写真フィルムをフィルムスキャナーに自動挿入してスキャン処理を行う予約モードの場合に、フィルムスキャナーに自動挿入されずスキャン処理されなかった現像済写真フィルムに対応するオーダ情報を選択待ちの状態として格納し管理する。選択待ち状態として管理されている場合、該当するオーダ情報は、そのまま保存される。
【００１３】
手動スキャン実行指示手段は、選択待ち状態のオーダを選択した後、手動スキャン実行を指示する。この指示により、処理状態判断手段がフィルムスキャナーの処理状態を判断する。この判断結果が、例えば、スキャン処理中又は自動挿入によるスキャン処理の準備中である場合に、制御部は、当該スキャン処理中又は自動挿入によるスキャン処理の準備中のオーダのスキャン処理完了後にフィルムの手動挿入を許可する。
【００１４】
また、制御部は、判断結果が、スキャン処理中又は自動挿入によるスキャン処理の準備中でない場合にフィルムの手動挿入を許可する。
【００１５】
また、制御部は、選択待ち状態のオーダのスキャン処理の場合に、フィルムプロセッサからフィルムスキャナーに現像済写真フィルムを自動挿入するためのガイド手段の位置を、当該フィルムが自動挿入されないように位置制御する。
【００１６】
以上の構成によって、スキャナーエラー等の発生により、手動モードでのスキャンを余儀なくされる場合に於いても、オーダ情報を再設定する必要が無く、操作性の向上につながる。また、このときのオーダ状態を選択待ちの状態として、オーダ情報と対応づけて格納・管理するので、オーダリストとしてモニターに表示させた場合に、オペレータがシステムの近くに待機していなくても、モニターでオーダリストを確認することで、スキャナーエラー発生により、選択待ち状態のオーダが発生して、手動でスキャナーに挿入してスキャン処理する必要があることを簡単に知ることが出来る。
【００１７】
また、あとから、モニターで確認すれば、手動挿入してスキャン処理すべきオーダを簡単に確認できる。さらに、手動挿入処理中は、ガイド手段を常にストッカー側（排出側）に切り替えるように構成され、手動挿入によるスキャン処理中に、フィルムプロセッサから排出されるフィルムがガイド手段に案内されることで傷つくようなことがない。
【００１８】
本発明において、「オーダ」は、写真プリントを作成する場合の注文単位である。「１オーダ」は、フィルム１本分についてのプリント注文に係る画像データ群を指すものである。
【００１９】
また、「オーダ情報」は、フィルム１本分の注文に関するデータであり、例えば、プリント枚数、プリントサイズ、インデックスプリントの有無、メディアへの記録の有無等である。個々のコマ画像についての詳細な設定は、画像データとして取得された後にプリント作成装置側で実行できる。
【００２０】
また、「予約モード」は、現像処理とスキャン処理を連動させて現像済写真フィルムをフィルムスキャナーに自動挿入してスキャン処理を行うモードである。「通常モード」は、現像処理とスキャン処理を各々独立に動作させて現像済写真フィルムをフィルムスキャナーに手動挿入してスキャン処理を行うモードである。なお、以下において、予約モードを自動モードあるいは連続処理モードと称することがあるが同義である。また、通常モードを手動モードと称することがあるが同義である。
【００２１】
また、本発明において「プレジャッジ」は、画像データに基づいて写真プリントを作成する前に、適切な画質の写真プリントが作成されるか否かを判定する作業であり、より具体的には、プレジャッジ画面上で、コマ画像ごとに、色、濃度の補正値、シャープネス補正、赤目補正等の設定、プリント枚数の設定、プリントサイズの設定等を適宜設定するものである。以下、同様である。
【発明を実施するための最良の形態】
【００２２】
本発明に係るプリント処理システムの好適な実施形態を、図面を用いて説明する。図１は、フィルムプロセッサＦＰと、フィルムスキャナーＦＳで構成されるフィルム処理装置ＦＡと、プリント作成装置ＰＡを有するプリント処理システム１全体の外観構成を示す図である。なお、プリント処理システム１は、その他の装置（例えば、注文者用受付端末、記録媒体への書き込み・読み取り装置、インターネット受付可能なＰＣ端末等）を有する構成でもよい。
【００２３】
＜システムの全体構成＞
図１において、フィルム処理装置ＦＡは、未現像写真フィルムの現像処理を行うフィルムプロセッサＦＰと、現像済写真フィルムのコマの情報を光電変換により画像データとして取得するフィルムスキャナーＦＳとを上下位置に配置する。そして、フィルム処理装置ＦＡは、フィルムプロセッサＦＰの排出部から排出された現像済写真フィルムをフィルムスキャナーＦＳの供給部に送る供給搬送系に対して、現像済写真フィルムの供給部に送り込む供給状態と、外部に送り出す排出状態とに切り換え可能な供給搬送機構Ａとを備える。
【００２４】
このフィルム処理装置ＦＡは、通信回線を介してプリント作成装置ＰＡに接続される。プリント作成装置ＰＡは、通信機能、オーダ管理・制御機能、画像処理機能、プリント作成機能を有し、コンピュータ、ディスプレイ等の表示手段、キーボード、マウス等のインターフェースとを備えている。この構成によりフィルム処理装置ＦＡで取得した画像データは、通信回線を介してプリント作成装置ＰＡに伝送され、このプリント作成装置ＰＡにおいて印画紙等のプリント媒体にプリントされる。オーダ管理・制御機能は、画像データをオーダ単位に管理し、プリント作成の順序を設定できるように構成される。
【００２５】
なお、プリント作成装置ＰＡは銀塩式の印画紙を用いるものに制限されず、インクジェット型、昇華型のものも適用できる。
【００２６】
本発明において、フィルムプロセッサＦＰに挿入する以前の写真フィルムを未現像写真フィルムと称し、フィルムプロセッサＦＰで現像処理した後の写真フィルムを現像済写真フィルムと称する。
【００２７】
＜フィルムプロセッサ＞
フィルムプロセッサＦＰは、図１、２に示すように、プロセッサ本体の前部にフィルム挿入部１１を配置し、プロセッサ本体内部に現像処理部１２、乾燥処理部１３とを備え、プロセッサ本体の後部に排出部１４を配置し、フィルム挿入部１１から排出部１４にわたって搬送機構１５を形成している。プロセッサ本体の前部位置には各種情報を表示する液晶ディスプレイ１６Ａと複数の操作ボタン１６Ｂを有したコントロールパネル１６を備え、プロセッサ本体内部にフィルムプロセッサＦＰ全体の制御を実現する制御ユニット１７を備える。プロセッサ本体の上面には、排出部１４から送りだされる現像済写真フィルムを受け止めるフィルムストッカー１８が形成されている。
【００２８】
フィルム挿入部１１には、開閉自在な蓋体１１Ａを備え、フィルムカートリッジＣａに収容されたロール状の未現像写真フィルムをセットし、搬送機構１５に受け渡す作動系（フィルム駆動機構１１ｅ）と、フィルムの後端を切断する切断ユニット１１Ｂを備える。
【００２９】
また、フィルムの長さの情報を得るために、搬送機構１５によって搬送されるフィルム先端及び後端の通過を検出するローディング検出手段１１ｃを備える。ローディング検出手段１１ｃは、例えば、一対の光学式センサ（受光式、投光式）、反射型センサ、レーザセンサ、その他の近接センサ、イメージセンサ等で構成できるが、一対の光学式センサ（受光式、投光式）が好ましい。フィルム長さは、ローディング検出手段１１ｃがフィルム先端と後端のそれぞれを検出した時刻と搬送速度から算出される。
【００３０】
例えば、ＡＰＳフィルムの現像処理の場合、カートリッジＣａから引き出したフィルムの先端に粘着テープ等を用いてリーダＬを取り付け、蓋体１１Ａを開放して、このリーダＬが先行するようにフィルム挿入部１１にカートリッジＣａをセットする。次に、蓋体１１Ａを閉じた後、通常モードの場合に、コントロールパネル１６の所定の操作ボタン１６Ｂを操作することで制御ユニット１７の制御によってフィルム搬送（ローディング）が開始され、現像処理部１２での現像処理と、乾燥処理部１３での乾燥処理の後に排出部１４からリーダＬを先頭にしてフィルムが排出される。ここで、リーダＬは、樹脂製のフィルムと同程度の柔軟性を持つシート状であり、幅方向の一端には搬送用の複数のパーフォレーションが形成されている。なお、ＡＰＳフィルムに制限されず、１３５フィルム等の現像処理も行えることはいうまでもない。
【００３１】
予約モード又は通常モードのいずれかに設定されている場合には、オーダ情報の入力完了後に、当該オーダ情報に対応する未現像写真フィルムをフィルムプロセッサＦＰにセットし、現像処理が開始されるように（ローディングが開始されるように）制御ユニット１７によって制御される。具体的には、制御ユニット１７は、ローディングを開始するようにフィルムプロセッサＦＰの各要素を制御する。フィルム駆動機構１１ｅが、リーダＬ及びフィルムを圧着ローラで狭持しながら現像処理部１２まで搬送し、ローディング検出手段１１ｃが搬送されてきたリーダＬ及びフィルムの先端を検出すると、搬送機構部１５が駆動され、リーダＬ及びフィルムを圧着ローラで挟持して、現像処理部側に搬送する。ここで、フィルム駆動機構１１ｅと搬送機構１５は、別駆動で動作する。ここで「ローディング」は、フィルムカートリッジＣａからフィルムが搬送機構１５によって引き出され、現像処理部１２に搬送される動作を意味する。
【００３２】
現像処理部１２は、発色現像槽、漂白槽、定着槽、安定槽を有し、現像処理部１２内部において搬送機構１５は、リーダＬ及びフィルムを搬送する複数の圧着型のローラを備えている。また、乾燥処理部１３は、現像処理部１２から搬送されてきたフィルムを乾燥するブロワ１３Ａを備える。
【００３３】
搬送機構１５は、搬送経路の各部に圧着ローラ１５Ａと、この圧着ローラ１５Ａを電動モータ（不図示）で同期駆動する駆動系を備える。
【００３４】
フィルムストッカー１８は、排出部１４からリーダＬが排出される際に、フィルムスキャナーＦＳへフィルムを供給するための供給搬送機構Ａ（ガイド手段に相当する）が、排出状態（フィルムスキャナーＦＳに供給できない状態、フィルムスキャンＦＳで直前のフィルムが未だスキャン処理されている状態）にある場合に、リーダＬ及びフィルムが送り込まれるように構成される。
【００３５】
＜供給搬送機構＞
図２、図４、図５に示すように、供給搬送機構Ａ（ガイド手段に相当する）は、フィルムスキャナーＦＳとフルムプロセッサＦＰとの間の一対の中間フレーム３０で挟まれる空間に配置される。軸体４０を介して上下方向に揺動自在に支持したガイド板４１（案内部材の一例）と、中間フレーム３０に対して支持された回動軸５０と一体的に揺動する揺動アーム５１に支持されたチャッカーＣと、これらを制御する制御ユニット３１と、このチャッカーＣから送り出されたリーダＬを受け止めるリーダトレイ３２とを有する。
【００３６】
ガイド板４１は、リーダＬの幅方向での両端部を圧着して搬送しうる幅に形成された下部ガイド板４１Ａと上部ガイド板４１Ｂとを有し、リーダＬとフィルムＦとを送る遊転ローラ４２と、圧着型の供給搬送ローラ４３を備え、下部ガイド板４１において搬送方向で供給搬送ローラ４３より上流位置にはフィルムＦの幅より充分に広い幅の開放空間４１Ｓを形成してフィルムＦが自重で下方に弛む現象を許す。
【００３７】
供給搬送ローラ４３は、駆動ローラと圧着ローラとで構成され駆動ローラは搬送モータによって駆動される。フィルムＦの搬送方向でガイド板４１の下流側には第１センサＳ１を備え、この第１センサＳ１より更に下流側に固定刃４６Ａと、可動刃４６Ｂと、可動刃４６Ｂを作動させるカッターモータ４６Ｃを備える。
【００３８】
ガイド板４１は、フィルム搬送可能とする供給位置Ｘ１と（図４（ａ））、排出位置Ｘ２（図４（ｂ））とに切り替え自在に構成される。
【００３９】
チャッカーＣは、揺動アーム５１の揺動端に備えた第２センサＳ２と、駆動ローラ５２と、この駆動ローラ５２に圧着する圧着ローラ５３とで構成され、チャッカーＣは回動軸５０の回動によって図４（ａ）に示すチャック位置Ｃ１と、図４（ｂ）に示す受け渡し位置Ｃ２とに切り替え自在に構成されるように、回動軸５０を駆動する回動モータ５４を中間フレーム３０に備える。
【００４０】
チャッカーＣを受け渡し位置Ｃ２にセットした場合には、このチャッカーＣとガイド板４１の搬送終端との中間に前方の開放するループ形成空間Ｚを形成しており、この空間にループストッカー３３を備えて、送り出されたフィルムＦを大きく弛ませてループ状に貯留できるようにしている。ここでのループ形成を第２ループ形成と称す。第１、２センサＳ１、Ｓ２は、光源（Ｓｂ）と受光素子（Ｓａ）からなる一対の光学式センサで構成される。
【００４１】
フィルムプロセッサＦＰの制御ユニット１７と、フィルムスキャナーＦＳの制御ユニット２５と、供給搬送機構Ａの制御ユニット３１と、コンピュータ（ＣＰＵ、メモリ等で構成される）とは、それぞれ相互に通信可能であり、現像処理されたフィルムのサイズ、長さの情報は、各制御ユニット、コンピュータに送信され、スキャン処理の有無の情報がコントロールパネル１６又はコンピュータから供給搬送機構Ａに伝送される。
【００４２】
フィルム処理装置ＦＡでは、フィルム現像のみを行う場合には、供給搬送機構Ａを排出位置Ｘ２に制御して、フィルムプロセッサＦＰの排出部１４から排出されたフィルムをそのままフィルムストッカー１８に送り出す。また、スキャンニングを行う必要がある場合、排出部１４から排出されたフィルムを、供給搬送機構Ａを供給位置Ｘ１に制御して、フィルムスキャナーＦＳに供給する。
【００４３】
＜予約モード＞
本発明においては、例えば、予約モードに設定することにより、フィルムストッカー１８にフィルムが排出されないように、連続して現像処理・スキャン処理が実行されるように構成される。以下に、図面を用いてこの予約モードの動作について説明する。
【００４４】
供給搬送機構Ａを供給位置Ｘ１に配置し、チャッカーＣをチャック位置Ｃ１にセットする。ガイド板４１を供給位置Ｘ１にセットした状態では供給搬送ローラ４３、チャッカーＣの駆動ローラ５２とが駆動される。そして、排出部１４からフィルムＦが排出されると、ガイド板４１に挿入され、遊転ローラ４２から供給搬送ローラ４３に送られ、搬送モータ４４とチャッカーＣとで更に搬送される。なお、図中、Ｌ（ｆ）は、リーダＬ及びフィルムＦを意味する。
【００４５】
供給搬送ローラ４３とチャッカーＣの搬送速度は等しく設定されているが、フィルムＦに不必要な張力を作用させないように、供給搬送ローラ４３とチャッカーＣとの搬送速度は、排出部１４から排出される搬送速度より少し低速に設定される。
【００４６】
上記のように供給搬送機構Ａに導入されたリーダＬの先端位置を第１センサＳ１と第２センサＳ２とが検出し、この検出タイミングと、供給搬送ローラ４３、チャッカーＣの各々によるリーダＬの搬送速度とに基づいてリーダＬの位置が取得される。リーダＬの位置が取得された後、フィルムが設定量だけ搬送されたタイミングで、搬送停止し、カッター４６でフィルム先端を切断し、リーダＬを切り離し、この後、チャッカーＣを駆動して、リーダＬをリーダトレイ３２に送り出し、更に、供給搬送ローラ４３とチャッカーＣとの駆動によってフィルムＦの先端（切断後の先端）をチャッカーＣでチャックされる位置まで搬送して停止する。
【００４７】
排出部１４から排出される搬送速度より低速に設定され、また、リーダＬ切断時の停止等により、図５（ａ）に示すように下部ガイド板４１Ａに形成した開放空間４１ＳからフィルムＦをループ状に弛ませて速度差を吸収する。
【００４８】
図５（ｂ）に示すように、回動モータ５４の駆動により揺動アーム５１を受け渡し位置Ｃ２にセットする。このセットの際には、供給搬送ローラ４３を駆動することによりガイド板４１からフィルムＦを送り出し、この送りだし速度よりチャッカーＣの移動速度が低速になるように揺動アーム５１を作動させる。
【００４９】
受け渡し位置Ｃ２にセットした後、供給搬送ローラ４３の駆動を継続的に行うことにより、図５（ｂ）に示すように、ループ形成空間Ｚに対してフィルムＦをループ状に弛ませ、ループストッカー３３によって受け止める。このループ形成が第２ループである。
【００５０】
そして、排出部１４からフィルム後端が排出されたことを第１センサＳ１が検出したタイミングをスキャンニングするタイミングとして、図５（ｃ）に示すようにチャッカーモータ５９を駆動することにより、チャッカーＣの駆動ローラ５２でフィルムＦを送り出し、フィルムＦ先端をフィルムスキャナーＦＳのフィルムキャリア２１の供給部２１Ａに送り込み、フィルムスキャナーＦＳにおいてフィルムＦのコマ画像の情報を読み取る。
【００５１】
チャッカーＣからフィルムＦを送り出す際の搬送速度は、フィルムキャリア２１でのフィルムＦの搬送速度より低速に設定され、チャッカーＣから過剰にフィルムＦを送り出す不都合を回避し、フィルムＦに過大な張力を作用させず、円滑にフィルムＦを送り込める。
【００５２】
チャッカーＣからフィルムＦを送り出す制御を行い、送り出しが完了したことを第２センサＳ２での検出結果から判別した後には、チャッカーＣをチャック位置Ｃ１にセットし、ガイド板４１を排出位置Ｘ２にセットする。
【００５３】
＜フィルムスキャナー＞
フィルムスキャナーＦＳは、図１、２に示すように、スキャナー本体の下部にフィルムキャリア２１を配置し、このフィルムキャリア２１の下側に光源ユニット２２を、フィルムキャリア２１の上側にズームレンズ２３と光電変換ユニット２４とを配置している。スキャナー本体の内部に制御ユニット２５を配置し、スキャナー本体の前面にスタートボタン２６を備える。フィルムスキャナーＦＳは、フィルムプロセッサＦＰに固定されて一対の中間フレーム３０の上端に支持され。排出部１４の排出ブロック上部位置に配置されている。
【００５４】
フィルムキャリア２１は、フィルムプロセッサＦＰの前部と同じ方向に現像済写真フィルムの供給部２１Ａを形成し、この供給部２１Ａからフィルムを後部側に搬送しながらスキャニングを行えるように構成される。なお、フィルムキャリア２１にフィルムを送り出す前に、フィルムからリーダＬを切り離す処理がなされる。
【００５５】
また、フィルムキャリア２１は、搬送ローラ２１Ｂを駆動する搬送モータ（不図示）と、フィルムの存否を判別する非接触型の存否センサＳＦと、フィルムの幅方向での端部にバーコード状に形成されたコード情報を取得するコードセンサ（不図示）とを備える。存否センサＳＦは、一対の光電式センサ（受光型（Ｓａ）、投光型（Ｓｂ））とで構成されるのが好ましい。
【００５６】
光源ユニット２２は、Ｒ（赤）、Ｇ（緑）、Ｂ（青）の３原色の発光ダイオード（不図示）を有し、ズームレンズ２３は、焦点距離の調節によって、フィルムのコマの情報を設定された拡大率で光電変換ユニット２４の光電変換面に結像させる。この光電変換ユニット２４は、Ｒ（赤）、Ｇ（緑）、Ｂ（青）の３原色に対応してＣＣＤ等の光電変換素子でなる３つのラインセンサ（不図示）を備える。
【００５７】
予約モードにおいては、フィルムプロセッサＦＰによる現像処理後の現像済写真フィルムが、供給搬送機構Ａに案内されて、チャッカーＣによってフィルムキャリア２１に自動的にセットされ、スキャン処理が実行される。一方、通常モードにおいては、フィルムプロセッサＦＰによる現像処理後の現像済写真フィルムが、ストッカー１８に排出される。排出されたフィルムにはリーダＬが貼り合わされているので、オペレータが手動でリーダＬをフィルムから切断する必要がある。フィルムスキャナーＦＳでは、オペレータによって手動でフィルムがフィルムキャリア２１にセットされ、スキャン処理が実行される。ここでのフィルムは、ストッカー１８に排出された現像済写真フィルム、リプリントでスキャン解像度を変更してスキャン処理させたい場合の現像済写真フィルム等が例示される。なお、通常、スキャン処理された画像データは、プリント作成装置ＰＡに送信され、保存されているが、この画像データが削除された場合には、再度スキャン処理する必要があり、かかる場合においても、通常モードでスキャン処理を行う必要がある。
【００５８】
＜プリント作成装置の機能ブロック構成＞
入力手段１００は、画像データの注文に関する情報であるオーダ情報の入力を受け付ける。例えば、モニター７に表示される操作画面（ＧＵＩ）を参照しながら、キーボード、マウス等の入力操作部８を操作して、オーダ情報が入力されるように機能する。オーダ情報入力の際には、予約モードか通常モードかを選択して入力できるように構成される。
【００５９】
制御手段２００は、入力されたオーダ情報に対応する未現像写真フィルムをフィルムプロセッサＦＰで処理するように制御する。例えば、予約モードにおいて、複数のオーダ情報を連続して入力できるように入力手段１００を制御する。また、オーダ情報の入力は、一の未現像写真フィルム分のみを入力できるように制御する機能を有する。
【００６０】
また、制御手段２００の機能としては、オーダ情報の入力後に、フィルムプロセッサＦＰにセットされた未現像写真フィルムの現像処理を開始するように制御できる。また、フィルムプロセッサＦＰに未現像写真フィルムがセットされた場合に、オーダ情報の入力が可能となるように制御できる。
【００６１】
オーダ情報管理手段３００は、少なくとも入力されたオーダ情報のオーダ状態と当該オーダ情報を対応づけて格納手段に格納する。格納手段は、例えば、メモリ（以下、予約キュー３００ａと称す）等で構成される。
【００６２】
オーダ状態の情報は、少なくともシステムの処理状態の情報で構成される。また、オーダ情報管理手段３００は、フィルム排出先の情報もオーダ情報に対応づけて予約キュー３００ａに格納するように構成してもよい。フィルム排出先の情報は、スキャナ（供給搬送機構Ａに案内されてチャッカーＣで挟持してフィルムキャリア２１に自動でセットすることを意味する）、ストッカー（フィルムストッカー１８に排出することを意味する）を識別する情報で構成される。さらに、オーダ情報管理手段３００は、オーダ情報入力の際に設定されたモードを識別する情報（予約モード又は通常モード）及びフィルムスキャナーＦＳのスキャン処理においてフィルムを自動挿入するか、手動挿入するかを識別する情報等もオーダ情報に対応づけて予約キュー３００ａに格納するように構成してもよい（図８参照）。
【００６３】
オーダ情報管理手段３００は、システムの処理状態を以下のように取得することができる。例えば、フィルムスキャナＦＳの制御ユニット２５にスキャン処理中か否かを問い合わせることで実行される。また、スキャン処理直前か否かの判断は、供給搬送機構Ａの制御ユニット３１に、フィルムが第１センサＳ１で検出されているか否か、又は、排出部１４に配置されたセンサ（不図示）でフィルムが排出されたことを検出したか否かを問い合わせることで実行される。また、現像処理中であるか否かの判断は、フィルムプロセッサＦＰの制御ユニット１７に現像処理中か否か（或いはローディング中か否か）を問い合わせることで実行される。なお、上記のようにオーダ情報管理手段３００が各処理主体に問い合わせする形態に限らず、各処理主体が各処理の開始・終了の情報を自動的にオーダ情報管理手段３００に送信し、オーダ情報管理手段３００が送信された情報を解析して、必要な情報を更新するように構成できる。
【００６４】
オーダ情報管理手段３００は、現像処理とスキャン処理を連動させて現像済写真フィルムをフィルムスキャナＦＳに自動挿入してスキャン処理を行う予約モードの場合に、フィルムスキャナＦＳに自動挿入されずスキャン処理されなかった現像済写真フィルムに対応するオーダ情報を「選択待ち」の状態として格納し管理する。選択待ち状態として管理されている場合、該当するオーダ情報は、そのまま保存される。
【００６５】
手動スキャン実行指示手段３０２は、選択待ち状態のオーダを選択した後、手動スキャン実行を指示する。この指示により、処理状態判断手段３０３がフィルムスキャナーの処理状態を判断する。この判断結果が、例えば、スキャン処理中又は自動挿入によるスキャン処理の準備中である場合に、モード切替手段３０４（制御部に相当する）は、当該スキャン処理中又は自動挿入によるスキャン処理の準備中のオーダのスキャン処理完了後にフィルムの手動挿入を許可するようにフィルムスキャナーＦＳの制御ユニット２５に指令する。
【００６６】
また、モード切替手段３０４（制御部に相当する）は、判断結果が、スキャン処理中でない場合又は自動挿入によるスキャン処理の準備中でない場合にフィルムの手動挿入を許可するようにフィルムスキャナーＦＳの制御ユニット２５に指令する。
【００６７】
また、モード切替手段３０４（制御部に相当する）は、選択待ち状態のオーダのスキャン処理の場合に、フィルムプロセッサＦＰからフィルムスキャナーＦＳに現像済写真フィルムを自動挿入するためのガイド手段の位置を当該フィルムが自動挿入されないように、供給搬送機構Ａを排出位置Ｘ２に位置制御するように制御ユニット３１に指令する。例えば、供給搬送機構Ａの位置を、予約キュー３００ａに記憶された排出先情報に応じて切り替えるように、制御ユニット３１に指令を送信する。この指令を受信した制御ユニット３１は、排出先情報に応じて供給搬送機構Ａの位置を供給位置Ｘ１または排出位置Ｘ２に配置するように制御する。
【００６８】
また、モード切替手段３０４は、予約モード画面から通常モード画面へ又は通常モード画面から予約モード画面への切り替えを行う機能を提供する。モード画面表示手段３０１は、予約モード画面又は通常モード画面をモニター７に表示させるように機能する。
【００６９】
制御手段２００、オーダ情報管理手段３００、モード画面表示手段３０１、手動スキャン実行指示手段３０２、処理状態判断手段３０３、モード切替手段３０４の処理手順は、通常、ソフトウェアで構成され、かかるソフトウェアは、不図示のＣＰＵ、メモリ等のハードウェア資源と協働して動作するものであるが、専用回路、ファームウエア等を組み合わせて構成してもよい。当該ソフトウエアプログラムは、ＲＯＭ等のメモリに予め格納されている。
【００７０】
＜画像判定部の構成＞
画像判定部４は、フィルム処理装置ＦＡから取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データの設定機能、プリントデータの設定機能、サムネイル画像の設定機能が主たる機能として設けられている。なお、プレジャッジは必ず行なわなければならないものではなく、プレジャッジを省略してプリント処理を行うことも可能である。なお、以下において、オーダーデータとは、１オーダに含まれる画像データ群と、プレジャッジにより設定された補正データ、プリントサイズ、プリント枚数などのプリントデータ、オーダを特定するデータ（オーダ識別ＩＤ、顧客の氏名、住所、会員ＩＤなどのデータ）により構成される。オーダ情報は、プリントデータの一部を構成する。
【００７１】
＜オーダ制御部の構成＞
オーダ制御部５は、プリント処理すべき画像データをオーダ単位に管理する機能を提供する。オーダ登録部５ａは、画像判定部４によりプレジャッジの終了したオーダーデータを記憶装置６に登録・保存する機能を有する。記憶装置６は概念的に、スプーラ６ａと呼ばれる部分と、その他の記憶部６ｂとで構成される。プリント処理すべきオーダーデータは、すべてスプーラ６ａに保存される。従って、スプーラ６ａにオーダーデータを保存することでオーダの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００７２】
プリント処理制御部５ｂは、プリント処理指令を後述する画像処理基板９（画像処理手段に相当する）に送信する。そして、この指令に従って、画像処理基板９は、オーダーデータに基づいて、画像処理を行う。
【００７３】
モニター７は、オーダ情報の入力操作画面表示以外に、その他の例えば、プレジャッジを行なうための画面やオーダ管理画面等を表示させるものであり、プリント処理等を行うために必要な画面を提供する。入力操作部８は、キーボードやマウス等により構成され、オーダ情報入力、プリント処理に必要なデータ入力や設定、各種指令を行うために用いられる。
【００７４】
画像処理基板９（画像処理手段に相当する）は、スプーラ６ａから画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００７５】
次に、図３に示すプリント処理部の構成を簡単に説明する。ペーパーマガジン１０１には、写真感光材料（印画紙ともいう）であるペーパーがロール状に収容されている。ペーパーマガジン１０１は、２台を設置することができ、例えば、ペーパー幅の異なるペーパーを予めセットしておくことができる。ペーパーカッターは、ペーパーマガジン１０１から引き出された長尺状のペーパーを設定されたプリントサイズになるように切断する。
【００７６】
露光エンジン１０２ａは、画像処理基板９の展開メモリから送信されてくるプリント用画像データを受け取り、このプリント用画像データに基づいて、ペーパーの乳剤面に画像を焼付露光する。露光エンジン１０２ａとしては、特定の方式のものに限定されるものではなく、例えば、レーザーエンジン、ＣＲＴエンジン、ＰＬＺＴエンジンなどを用いることができる。
【００７７】
裏印字手段１０２ｂは、ペーパーの裏面に、オーダ識別ＩＤ、コマナンバー、プリント処理済枚数、プリント要求枚数、補正テータ等をプリントする機能を有する。裏印字手段１０２ｂは、例えば、ドットインパクトプリンタ、熱転写式プリンタ、インクジェットプリンタ等で実現される。
【００７８】
現像処理部１０３は、画像が焼付露光されたペーパーの現像処理を行い、乾燥処理部１０４は、現像処理されたペーパーの乾燥処理を行なう。ペーパー排出部から仕上がりの写真プリントが装置本体外部に排出され、所定の集積装置（不図示）によりオーダ単位で集積される。
【００７９】
ペーパーセンサー１０６は、ペーパー排出部から排出されるペーパーを検出し、あるオーダの写真プリントが全て排出されたか否かを検出する。センサ制御部（不図示）は、ペーパーセンサー１０６の駆動制御を行なうと共に、ペーパーセンサー１０６からの信号を受信して解析する。
（実施形態１）
以下に、本発明の処理手順について図６のフローチャートを用いて説明する。オペレータはオーダ情報を入力する（オーダ予約）（Ｓ１）。本システムの予約キュー３００ａに入力されたオーダ情報が格納される（Ｓ２）。この際、モード設定も行われる。未現像写真フィルムをフィルムプロセッサＦＰにセットする前では、オーダ状態は、「挿入待ち（現像）」として管理される（Ｓ３）。図７（ａ）に示すように、オーダ＃３が「挿入待ち（現像）」として管理されていることが分かる。図８（ａ）は、オーダ情報管理手段３００で管理されるオーダ情報とオーダ状態の例を示す。なお図８（ａ）では、「処理待ち」となっているが、「挿入待ち（現像）」を意味する。
【００８０】
次いで、フィルムプロセッサＦＰにカートリッジＣａを蓋体１１Ａを開けて挿入すると（Ｓ４）、カートリッジ検出手段１１ｄがカートリッジＣａを検出して、オーダ状態を「ローディング待ち」状態とする（Ｓ５）。次いで、蓋体１１Ａを閉じると（Ｓ６）、ローディングが開始され、オーダ状態を「ローディング中」とする（Ｓ７）。
【００８１】
そして、現像処理が開始され（Ｓ８）、オーダ状態が「現像処理中」になる（Ｓ９）。例えば、図７（ａ）に示すようにオーダ＃２のオーダ状態が「現像処理中」であることが分かる。
【００８２】
そして、フィルムスキャナーＦＳにおいて、オーダ＃１のスキャン処理エラーが発生すると（Ｓ１０）、現像処理中のオーダ＃２のフィルムをストッカー１８に排出する（Ｓ１１）。この際のオーダ状態を「排出中（下部ストッカー）」とし（Ｓ１２）、排出完了後にオーダ状態を「選択待ち」にする（Ｓ１３）。図７（ｂ）に示すように、例えば、オーダ＃２は「選択待ち」状態になる。
【００８３】
そして、オペレータは、フィルムスキャナーＦＳのエラーを復帰して（Ｓ１４）、「選択待ち」状態のオーダ（ここではオーダ＃２）のスキャン処理を実行させたい場合に、図７（ｂ）に示すように「選択待ち」状態のオーダ＃２を選択する（Ｓ１５）。例えば、オーダ＃２をダブルクリックして選択する。これにより、選択された「選択待ち」状態のオーダ＃２のオーダ情報を予約キュー３００ａから読み出す（Ｓ１６）。また、オーダ状態の「選択待ち」表示が強調表示（不図示）される（Ｓ１７）。
【００８４】
そして、「選択待ち」状態のオーダ＃２を選択した後、オペレータが、図７（ｂ）に示すように、手動スキャン実行ボタン７０１を押下すると（Ｓ１８）、オーダ状態が「挿入待ち（スキャナー）になる（Ｓ１９）。そして、ストッカー１８に排出されたオーダ＃２の現像済写真フィルムをフィルムキャリア２１に手動挿入すると（Ｓ２０）、スキャン処理が開始され（Ｓ２１）、オーダ状態が「プレスキャン中」、「本スキャン中」に順次切り換わる（Ｓ２２、Ｓ２３）。
【００８５】
次いで、スキャン処理で取得された画像データがプリント作成装置ＰＡに送信され、プリント処理が開始されると（Ｓ２４）、予約キュー３００ａから、オーダ＃２のオーダ情報が削除される（Ｓ２５）。図８（ｂ）に示すように、例えば、オーダ＃２のオーダ情報（プリントサイズ等）がＮＵＬＬとなる。かかるオーダ情報削除処理は、オーダ情報管理手段３００の機能による。
【００８６】
次に、図９を用いて、本発明の処理を具体的に説明する。今、予約モードでシステムが可動中であり、予約モード画面がモニター７に表示されている。図７（ａ）に予約モード画面の一例を示す。図７（ａ）に示すように、予約キュー３００ａに格納されているオーダ情報を読み出して予約オーダリストを画面中に構成する。画面下部には、手動スキャン実行ボタン７０１が表示される。予約モード画面は、予約キュー３００ａに格納されたオーダ情報のデータに基づいて、モード画面表示手段３０１の機能により提供される。図８に示すオーダ情報は、入力手段１００によってオーダ情報が入力され、入力順序に従って予約キュー３００ａに格納される。なお、ここでは、複数のオーダ情報が格納されているが、１つのオーダ情報のみが格納されていてもよい。オーダ情報入力の際に、予約モードに設定すると、排出先はスキャナーに設定され、通常モードに設定すると、排出先はストッカーに設定される。オーダ状態として、システムの処理状態が管理され、画面上にシステムの処理状態（スキャン処理中、現像処理中、処理待ち）が表示される。図７（ｂ）によれば、例えば、オーダ＃２は、自動モードで、「選択待ち」状態であることが分かり、オーダ＃３は、自動モードで、スキャン処理中であることが分かる。
【００８７】
「選択待ち」状態のオーダのスキャン処理を行わせる場合に、「選択待ち」状態のオーダを選択し、図７（ｂ）に示す手動スキャン実行ボタン７０１を押下する（Ｓ３０）。これに応じて、処理状態判断手段３０３は、「選択待ち」状態のオーダを手動挿入してスキャン処理できるか否かを判断する（Ｓ３１）。ここで、例えば、オーダ＃３のフィルムがスキャン処理中であると判断した場合、このオーダ＃３においてスキャン処理中フラグをＯＮにして（Ｓ３２）、供給搬送機構Ａを排出位置Ｘ２にセットする（Ｓ３３）。図７（ｂ）に示すようにオーダ＃４のフィルムが既に現像処理中であれば、オーダ＃４のフィルムはストッカー１８に排出される。すなわち、次のオーダ＃４のフィルムが自動的に供給搬送機構Ａに挿入案内されて、フィルムスキャナーＦＳにセットされることを防止する。そして、オーダ＃４のオーダ情報のオーダ状態は、「選択待ち」状態として記憶され、オーダ＃４の現像済写真フィルムは、フィルムストッカー１８に搬送されることになる。
【００８８】
処理状態判断手段３０３は、予約キュー３００ａから取得したオーダ状態を解析することで、上記判断を行う。なお、処理状態判断手段３０３は、予約キュー３００ａからオーダ状態を取得せずに、直接、フィルムプロセッサＦＰ、フィルムスキャナーＦＳ等に処理状態を問い合わせるように構成してもよい。
【００８９】
そして、オーダ＃３のスキャン処理が完了したら、ステップＳ３１で再度判断がなされ、ステップＳ３４に行き、スキャン処理中フラグをＯＦＦにする（Ｓ３４）。そして、モード切替手段３０４は、手動挿入処理に切り換えることを意味する確認通知をモニター７に表示させ、オペレータの確認指示（例えば、ＯＫボタンをクリック）で、手動挿入処理中フラグをＯＮにする（Ｓ３５）。これにより、通常モードに設定され、フィルムの手動挿入が許可される。なお、手動挿入処理に切り換えることを意味する確認通知をモニター７に表示させることなく手動挿入処理中フラグをＯＮにしてもよい。
【００９０】
そして、モード切替手段３０４は、供給搬送機構Ａの位置を排出位置Ｘ２にセットするように制御ユニット３１に指令する（Ｓ３６）。これにより、制御ユニット３１は、供給搬送機構Ａの位置を供給位置Ｘ１から排出位置Ｘ２に配置するように電磁ソレノイド４８を制御する。
【００９１】
また、モード切替手段３０４は、フィルムプロセッサＦＰの制御ユニット１７、フィルムスキャナＦＳの制御ユニット２５に、通常モードに変更された旨の信号を送信する。これにより、フィルムプロセッサＦＰの制御ユニット１７は、通常モードでの現像処理を実行し、フィルムスキャナＦＳの制御ユニット２５は、通常モードでのスキャン処理を実行する。
【００９２】
なお、「選択待ち」状態のオーダ＃２のフィルムを通常モードでスキャン処理する場合に、モード切替手段３０４は、予約キュー３００ａからオーダ＃２の排出先情報を取得し、取得した排出先情報「ストッカー」を判断して、この判断結果（「ストッカー」）に応じて、供給搬送機構Ａの位置を排出位置Ｘ２にセットするように制御ユニット３１に指令するように構成してもよい。
【００９３】
そして、オペレータは、フィルムキャリア２１に現像済写真フィルムを手動挿入してスキャン処理を実行する（Ｓ３７）。
【００９４】
一方、上記ステップＳ３１において、オーダ＃３のスキャン処理が未だ行われていない場合、現像処理中である場合、又は供給搬送機構Ａにフィルム先端が挿入され案内されていないと判断された場合、スキャン処理中フラグをＯＦＦにして（Ｓ３４）、手動挿入処理中フラグをＯＮにする（Ｓ３５）。これ以後の動作は上記と同様である。
【００９５】
以上、本発明によれば、自動モードで現像処理・スキャン処理を連続して行っている途中に、例えば、エラー発生や、割り込み処理（リプリントオーダの処理）をした場合に、スキャナーに自動挿入されず、ストッカーに排出されたフィルムを新たにスキャン処理する際に、オーダ情報入力の煩雑さをなくして効率よくスキャン処理するプリント処理システムを提供することができる。
【００９６】
＜別実施形態＞
上記実施形態において、オーダ情報がプリント作成装置ＰＡで入力されるように構成したが、特にこれに制限されず、フィルムプロセッサＦＰのコントロールパネル１６から入力できるように構成してもよい。
【図面の簡単な説明】
【００９７】
【図１】プリント処理システムの外観の一例を示す図
【図２】フィルム処理装置の一例を説明する図
【図３】プリント処理システムの機能を示すブロック図
【図４】供給搬送機構の一例を説明する図
【図５】連続処理の動作の一例を説明する図
【図６】処理手順を説明するフローチャート
【図７】予約モード画面を説明する図
【図８】予約キューに格納されるオーダ情報の一例を説明する図
【図９】処理手順を説明するフローチャート
【符号の説明】
【００９８】
ＦＰ      フィルムプロセッサ
ＦＳ      フィルムスキャナー
ＰＡ      プリント作成装置
Ａ        供給搬送機構
Ｃ        チャッカー
Ｃａ      フィルムカートリッジ
ＳＦ      存否センサ
１        プリント処理システム
１１      フィルム挿入部
１１Ａ    蓋体
１１ｃ    ローディング検出手段
１１ｄ    カートリッジ検出手段
１１ｅ    フィルム駆動機構
１２      現像処理部
１３      乾燥処理部
１４      排出部
１５      搬送機構
１６      コントロールパネル
１７      制御ユニット
１８      フィルムストッカー
２１      フィルムキャリア
２５      制御ユニット
３１      制御ユニット
１００    入力手段
２００    制御手段
３００    オーダ情報管理手段
３００ａ  予約キュー
３０１    モード画面表示手段
３０２    手動スキャン実行指示手段
３０３    処理状態判断手段
３０４    モード切替手段（制御部に相当する）
【図１】
2007184727.tif 000003
【図２】
2007184727.tif 000004
【図３】
2007184727.tif 000005
【図４】
2007184727.tif 000006
【図５】
2007184727.tif 000007
【図６】
2007184727.tif 000008
【図７】
2007184727.tif 000009
【図８】
2007184727.tif 000010
【図９】
2007184727.tif 000011